(57)【要約】【課題】  配線を単純化して整理すると共に容易に配線することのできる電気接続箱を提供する。【解決手段】  コネクタ４０に、本体２０に配策された端子付き電線群からなる第１のワイヤ群２３に接続される第１の端子部４０ａと、系統・グレード・サブ形態等で分割され本体２０の凹部２２に挿入される第２のワイヤ群３０に接続される第２の端子部４０ｂとを各々形成した。そして、第１の端子部４０ａを受ける第１のキャビティ２４と前記第２の端子部４０ｂを受ける第２のキャビティ３３とを別個に形成し、第１のキャビティ２４を本体２０に設けたので、第１の端子部４０ａを第１のキャビティ２４に挿入し、第２の端子部４０ｂを第２のキャビティ３３に挿入することにより、第１のワイヤ群２３と第２のワイヤ群３０との間を接続するための電線を省略することができる。これにより、ワイヤハーネスの電線本数を減少させることができる。【選択図】  図１
2005168252.tif 000002
【特許請求の範囲】
【請求項１】
本体に配策された端子付き電線群からなる第１のワイヤ群と、系統・グレード・サブ形態等で分割され前記本体の凹部に挿入される第２のワイヤ群とを有し、
前記本体または前記第１のワイヤ群から電源または信号を受けると共に前記第２のワイヤ群に接続されるコネクタに、前記本体または前記第１のワイヤ群に接続される第１の端子部と、前記第２のワイヤ群に接続される第２の端子部とを形成し、
前記第１の端子部を受ける第１のキャビティと前記第２の端子部を受ける第２のキャビティとを別個に形成すると共に、前記第１のキャビティを前記本体に設けたことを特徴とする電気接続箱。
【請求項２】
本体に配策された端子付き電線群からなる第１のワイヤ群と、系統・グレード・サブ形態等で分割され前記本体の凹部に挿入される第２のワイヤ群と、前記第２のワイヤ群同士のみを接続する第３のワイヤ群とを有し、
前記第２のワイヤ群と前記第３のワイヤ群との間に接続されるコネクタに、前記第２のワイヤ群に接続される第２の端子部と、前記第３のワイヤ群に接続される第３の端子部とを形成し、
前記第２の端子部を受ける第２のキャビティと前記第３の端子部を受ける第３のキャビティとを別個に形成すると共に、前記第３のキャビティを前記本体に設けたことを特徴とする電気接続箱。
【請求項３】
前記本体と前記第１のキャビティとの間の配策および前記第３のキャビティ同士間の配策を縦バスバーで行ったことを特徴とする請求項１または２に記載した電気接続箱。
【請求項４】
前記第１のコネクタが直線的に配置されていることを特徴とする請求項１〜３のいずれかに記載した電気接続箱。
【発明の詳細な説明】
【技術分野】
【０００１】
本発明は電気接続箱に係り、例えば自動車のワイヤハーネスの相互接続等に用いることができる電気接続箱に関する。
【背景技術】
【０００２】
従来より、図４に示すような電気接続箱１００が知られている（例えば特許文献１参照）。
この電気接続箱１００では、ヒューズ１０１やリレー１０２等の電気部品を組み込んだ複数個のユニットＣ１、Ｃ２、Ｃ３を設け、各ユニットＣ１、Ｃ２、Ｃ３にそれぞれ異なる系統のワイヤハーネスＷ１、Ｗ２、Ｗ３を結合する。この異なる系統のワイヤハーネスＷ１、Ｗ２、Ｗ３間の、ユニットＣ１、Ｃ２、Ｃ３を経由しない電線相互間を、コネクタ１０３ａ、１０３ｂで結合する。そして、複数個のユニットＣ１、Ｃ２、Ｃ３を合体して１個のジャンクションブロック１０４を形成し、ロアーカバー１０５Ｌおよびアッパーカバー１０５Ｕの内部に収容する。
【特許文献１】実開平１−１４６７１９号公報（図１）
【発明の開示】
【発明が解決しようとする課題】
【０００３】
しかしながら、前述したような電気接続箱１００においては、各ユニットＣ１、Ｃ２、Ｃ３に取り付けられているヒューズ１０１やリレー１０２等の電気部品の接続等、多本数の電線を用いたワイヤハーネス等により配線しているため、配線が長くなると共に配線しづらく、配線間違いを起こしやすいという不都合があった。また、整理しづらく、煩雑になるという問題があった。
【０００４】
本発明は、前述した問題点に鑑みてなされたものであり、その目的は配線を単純化して整理すると共に容易に配線することのできる電気接続箱を提供することにある。
【課題を解決するための手段】
【０００５】
１）前述した目的を達成するために、本発明にかかる電気接続箱は、本体に配策された端子付き電線群からなる第１のワイヤ群と、系統・グレード・サブ形態等で分割され前記本体の凹部に挿入される第２のワイヤ群とを有し、前記本体または前記第１のワイヤ群から電源または信号を受けると共に前記第２のワイヤ群に接続されるコネクタに、前記本体または前記第１のワイヤ群に接続される第１の端子部と、前記第２のワイヤ群に接続される第２の端子部とを形成し、前記第１の端子部を受ける第１のキャビティと前記第２の端子部を受ける第２のキャビティとを別個に形成すると共に、前記第１のキャビティを前記本体に設けたことを特徴としている。
【０００６】
このように構成された電気接続箱においては、コネクタに、本体に配策された端子付き電線群からなる第１のワイヤ群に接続される第１の端子部と、系統・グレード・サブ形態等で分割され本体の凹部に挿入される第２のワイヤ群に接続される第２の端子部とを各々形成した。そして、第１の端子部を受ける第１のキャビティと前記第２の端子部を受ける第２のキャビティとを別個に形成し、第１のキャビティを本体に設けたので、第１の端子部を第１のキャビティに挿入し、第２の端子部を第２のキャビティに挿入することにより、第１のワイヤ群と第２のワイヤ群との間を接続するための電線を省略することができる。これにより、ワイヤハーネスの電線本数を減少させることができる。
ここで、コネクタとしては、例えばヒューズやリレー等のコネクタを挙げることができる。
【０００７】
２）また、本発明にかかる電気接続箱は、本体に配策された端子付き電線群からなる第１のワイヤ群と、系統・グレード・サブ形態等で分割され前記本体の凹部に挿入される第２のワイヤ群と、前記第２のワイヤ群同士を接続する第３のワイヤ群とを有し、前記第２のワイヤ群と前記第３のワイヤ群との間に接続されるコネクタに、前記第２のワイヤ群に接続される第２の端子部と、前記第３のワイヤ群に接続される第３の端子部とを形成し、前記第２の端子部を受ける第２のキャビティと前記第３の端子部を受ける第３のキャビティとを別個に形成すると共に、前記第３のキャビティを前記本体に設けたことを特徴としている。
【０００８】
このように構成された電気接続箱においては、コネクタに、系統・グレード・サブ形態等で分割された第２のワイヤ群に接続される第２の端子部と、第２のワイヤ群同士を接続する第３のワイヤ群に接続される第３の端子部を各々形成した。そして、第２の端子部を受ける第２のキャビティと、第３の端子部を受ける第３のキャビティとを別個に形成し、第３のキャビティを本体に設けたので、第２の端子部を第２のキャビティに挿入し、第３の端子部を第３のキャビティに挿入することにより第２のワイヤ群と第３のワイヤ群を接続することができる。これにより、第２のワイヤ群間に接続される電線を省略することができ、電線本数を減少させることができる。
ここで、コネクタとしては、例えばヒューズやリレー等のコネクタを挙げることができる。
【０００９】
３）また、本発明にかかる電気接続箱は、前記本体と前記第１のキャビティとの間の配策および前記第３のキャビティ同士間の配策を縦バスバーで行ったことを特徴としている。
【００１０】
このように構成された電気接続箱においては、本体と第１のキャビティとの間の接続および第３のキャビティ同士間の接続を縦バスバーで行ったので、容易に配策を行うことができる。
【００１１】
４）また、本発明にかかる電気接続箱は、前記第１のコネクタが直線的に配置されていることを特徴としている。
【００１２】
このように構成された電気接続箱においては、第１のコネクタを直線で配策することができるので、単純な形状の縦バスバーにより接続することができる。
【発明の効果】
【００１３】
本発明によれば、配線を単純化して整理すると共に容易に配線することのできる電気接続箱を提供することができる。
【発明を実施するための最良の形態】
【００１４】
以下、本発明に係る実施形態を図面に基づいて詳細に説明する。図１は本発明の実施形態に係る電気接続箱の内部を示す平面図、図２は要部を示す分解斜視図、図３はコネクタの例を示す断面図である。
【００１５】
本発明の実施形態である電気接続箱１０は、本体２０を中央に有し、上側（図１中、手前側）には図示省略のアッパーカバー、下側（図１中、奥側）には図示省略のロアーカバーを有している。
図１および図２に示すように、本体２０のベース部２１には、多数の凹部２２ａ、２２ｂ、２２ｃが設けられており、各凹部２２ａ、２２ｂ、２２ｃの近傍には、端子付き電線群からなる第１のワイヤ群としての本体側バスバー２３が配策されている。各凹部２２ａ、２２ｂ、２２ｃは各々所定の形状をしており、各凹部２２ａ、２２ｂ、２２ｃにはほぼ同形状をした第２電線群としてのカセットブロック３０ａ、３０ｂ、３０ｃが取り付けられている。本体側バスバー２３の上方で各カセットブロック３０ａ、３０ｂ、３０ｃに対向する位置には、第１のキャビティとしてのコ字状をした本体側キャビティ２４が本体２０に設けられている。
【００１６】
凹部２２ａに取り付けられるカセットブロック３０ａには、ヒューズやリレー等の電気部品３１が取り付けられており、各電気部品３１を接続するためのカセット側バスバー３２が配策されている。カセット側バスバー３２は、本体側バスバー２３に対向する位置を通るように配策されており、対向する位置の上方には、本体側キャビティ２４に対向して第２のキャビティとしてのコ字状をしたカセット側キャビティ３３が設けられている。従って、本体側キャビティ２４とカセット側キャビティ３３とにより、全体矩形状のメス型コネクタ１１ａが形成されることになる。
【００１７】
図２に示すように、本体側バスバー２３は縦バスバーで構成するのが望ましく、タブ端子状の端子部２３ａが上方へ突出して設けられていて、本体側キャビティ２４の内部に露出している。なお、カセット側バスバー３２も縦バスバーで構成することができ、タブ端子状の端子部３２ａが上方へ突出してカセット側キャビティ３３の内部に露出している。
【００１８】
図２に示すように、メス型コネクタ１１ａには、コネクタとして例えば中電流ヒューズ４０が取り付けられ、本体側バスバー２３から電源または信号を受けてカセット側バスバー３２に流すようになっている。
図３に示すように、中電流ヒューズ４０の先端は二股に分かれていて、第１の端子部４０ａと第２の端子部４０ｂが形成されている。中電流ヒューズ４０の内部には全体逆Ｕ字状のヒューズエレメント４１が設けられており、ヒューズエレメント４１の両端に設けられている弾性接触片４１ａ、４１ｂが、各々第１の端子部４０ａおよび第２の端子部４０ｂの内部に露出している。
【００１９】
従って、この中電流ヒューズ４０をメス型コネクタ１１ａに挿入すると、例えば、第１の端子部４０ａは本体側キャビティ２４に挿入され、弾性接触片４１ａが本体側バスバー２３の端子部２３ａに圧着されて電気的に接続される。また、第２の端子部４０ｂはカセット側キャビティ３３に挿入され、弾性接触片４１ｂがカセット側バスバー３２の端子部３２ａに圧着されて電気的に接続される。これにより、本体２０とカセットブロック３０ａは、電気的に接続されることになる。
【００２０】
一方、図１に示すように、第２のワイヤ群としてのカセットブロック３０ｂとカセットブロック３０ｃとの間には、カセットブロック３０ｂ、３０ｃに隣接して第３のワイヤ群であるカセットブロック間バスバー２６が配策されている。本体２０におけるカセットブロック間バスバー２６の上方で、カセットブロック３０ｂ、３０ｃに対向する位置には、第３のキャビティとしての本体側キャビティ２７が各々設けられている。また、各カセットブロック３０ｂ、３０ｃにおいて本体側キャビティ２７に対向する位置には、前述したのと同様のカセット側キャビティ３４が設けられている。従って、本体側キャビティ２７とカセット側キャビティ３４とで、メス型コネクタ１１ｂを形成することになる。
【００２１】
従って、メス型コネクタ１１ｂに、例えば前述したような中電流ヒューズ４０のようなオス型コネクタ４２を挿入して、第２の端子部４０ｂをカセット側キャビティ３４に挿入し、第３の端子部４０ｃ(図３参照)を本体側キャビティ２７に挿入することにより、カセットブロック間バスバー２６を介してカセットブロック３０ｂ、３０ｃ同士を接続することができる。なお、カセットブロック間バスバー２６にも縦バスバーを用いるのが望ましい。これにより、カセットブロック３０ｂ、３０ｃ間を容易に接続することができる。
【００２２】
なお、同一の本体側バスバー２３によって接続できる本体側キャビティ２４は、できるだけ一直線上に配置するようにする。これにより、本体側バスバー２３の形状が単純化でき、容易に配策することができる。
【００２３】
以上、前述した電気接続箱１０によれば、例えば中電流ヒューズ４０のようなコネクタに、本体２０に配策された本体側バスバー２３に接続される第１の端子部４０ａと、カセットブロック３０に接続される第２の端子部４０ｂとを各々形成し、第１の端子部４０ａを受ける本体側キャビティ２４と第２の端子部４０ｂを受けるカセット側キャビティ３３とを別個に形成し、本体側キャビティ２４を本体２０に設けた。このため、第１の端子部４０ａを本体側キャビティ２４に挿入し、第２の端子部４０ｂをカセット側キャビティ３３に挿入することにより、本体側バスバー２３とカセットブロック３０との間を接続するための電線を省略することができる。これにより、ワイヤハーネスの電線本数を減少させることができるので、配策される電線の数を減少させることができる。
【００２４】
また、コネクタ４２に、カセットブロック３０に接続される第２の端子部４０ｂと、カセットブロック間バスバー２６に接続される第３の端子部４０ｃを各々形成し、第２の端子部４０ｂを受けるカセット側キャビティ３３と、第３の端子部４０ｃを受ける本体側キャビティ２７とを別個に形成し、本体側キャビティ２７を本体に設けた。このため、第２の端子部４０ｂをカセット側キャビティ３４に挿入し、第３の端子部４０ｃを本体側キャビティ２７に挿入することによりカセットブロック３０ｂ、３０ｃとカセットブロック間バスバー２６を接続することができるので、カセットブロック３０ｂ、３０ｃ間に接続される電線を省略することができ、電線本数を減少させることができる。
【００２５】
なお、本発明の電気接続箱は、前述した実施形態に限定されるものでなく、適宜な変形，改良等が可能である。
すなわち、前述した実施形態においては、カセットブロック３０を取り付ける位置を凹部２２としたが、必ずしも凹んでいる必要はない。
【図面の簡単な説明】
【００２６】
【図１】本発明に係る電気接続箱の内部を示す平面図である。
【図２】要部を示す分解斜視図である。
【図３】中電流ヒューズの断面図である。
【図４】従来の電気接続箱を示す斜視図である。
【符号の説明】
【００２７】
１０  電気接続箱
２０  本体
２２  凹部
２３  本体側バスバー（第１のワイヤ群）
２３ａ  端子部（端子）
２４  本体側キャビティ（第１のキャビティ）
２６  カセットブロック間バスバー（第３のワイヤ群）
２７  本体側キャビティ（第３のキャビティ）
３０  カセットブロック（第２のワイヤ群）
３３  カセット側キャビティ（第２のキャビティ）
４０，４２  中電流ヒューズ（コネクタ）
４０ａ  第１の端子部
４０ｂ  第２の端子部
４０ｃ  第３の端子部
【図１】
2005168252.tif 000003
【図２】
2005168252.tif 000004
【図３】
2005168252.tif 000005
【図４】
2005168252.tif 000006